(57)【要約】【課題】小型かつ簡易な構成により高品質な画像を表示可能とするプロジェクタを提供すること。【解決手段】光を画像信号に応じて変調する複数の空間光変調素子である透過型液晶パネル２０Ｒ、２０Ｇ、２０Ｂと、複数の空間光変調素子で変調された光を合成する色合成光学素子であるクロスダイクロイックプリズム２７と、空間光変調素子で変調された光が入射する位置に設けられ、光を集光させる集光作用をもつ集光手段と、色合成光学素子で合成させる光が入射する位置に設けられ、光を発散させる発散作用をもつ発散手段と、を有し、空間光変調素子のうち変調された光を射出する射出面に形成され、集光手段として機能する凸面部と、光合成光学素子のうち合成させる光が入射する入射面に形成され、発散手段として機能する凹面部と、の少なくとも一方を有する。【選択図】図１
2010085559.tif 000002
【特許請求の範囲】
【請求項１】
光を画像信号に応じて変調する複数の空間光変調素子と、
前記複数の空間光変調素子で変調された光を合成する色合成光学素子と、
前記空間光変調素子で変調された光が入射する位置に設けられ、光を集光させる集光作
用をもつ集光手段と、
前記色合成光学素子で合成させる光が入射する位置に設けられ、光を発散させる発散作
用をもつ発散手段と、を有し、
前記空間光変調素子のうち変調された光を射出する射出面に形成され、前記集光手段と
して機能する凸面部と、前記色合成光学素子のうち合成させる光が入射する入射面に形成
され、前記発散手段として機能する凹面部と、の少なくとも一方を有することを特徴とす
るプロジェクタ。
【請求項２】
前記空間光変調素子に形成された前記凸面部と、前記色合成光学素子に形成された前記
凹面部とを有することを特徴とする請求項１に記載のプロジェクタ。
【請求項３】
前記発散手段は、前記集光手段から入射した光を平行化させることを特徴とする請求項
１又は２に記載のプロジェクタ。
【請求項４】
前記集光手段の後側焦点と、前記発散手段の前側焦点とが略一致することを特徴とする
請求項３に記載のプロジェクタ。
【請求項５】
前記空間光変調素子は、透過型液晶パネルであって、
前記凸面部は、前記透過型液晶パネルのうち変調された光を射出する側に設けられた射
出側基板に形成されることを特徴とする請求項１〜４のいずれか一項に記載のプロジェク
タ。
【請求項６】
第１色光を変調する前記空間光変調素子である第１空間光変調素子と、
第２色光を変調する前記空間光変調素子である第２空間光変調素子と、
第３色光を変調する前記空間光変調素子である第３空間光変調素子と、を有し、
前記色合成光学素子は、前記第１空間光変調装置で変調された前記第１色光が入射する
入射面に形成された前記凹面部である第１凹面部と、前記第２空間光変調装置で変調され
た前記第２色光が入射する入射面に形成された前記凹面部である第２凹面部と、前記第３
空間光変調装置で変調された前記第３色光が入射する入射面に形成された前記凹面部であ
る第３凹面部と、を有することを特徴とする請求項１〜５のいずれか一項に記載のプロジ
ェクタ。
【発明の詳細な説明】
【技術分野】
【０００１】
本発明は、プロジェクタ、特に、画像信号に応じて変調された複数の色光を合成して投
写するプロジェクタの技術に関する。
【背景技術】
【０００２】
従来、一般的なプロジェクタは、照明光学系から射出した光を平行化し、空間光変調素
子へ入射させる構成を採用している。色光ごとに設けられた空間光変調素子で変調された
光は、色合成光学素子で合成され、投写レンズにより投写される。照明光学系の大きさ、
集光特性等の光学特性を決めると、投写レンズを構成する複数のレンズのうち、投写面か
ら最も遠い位置に配置されるレンズ（後玉）の径が決まることとなる。このことから、従
来のプロジェクタは、投写レンズの小型化が困難であるという課題がある。投写レンズの
小型化を目的とする技術として、例えば、特許文献１には、空間光変調素子と色合成光学
素子との間に集光レンズを設け、空間光変調素子で変調された光を投写レンズの入射瞳に
集光させる技術が提案されている。また、特許文献２には、投写レンズを構成するレンズ
同士の間に色合成光学素子を配置する技術が提案されている。
【０００３】
【特許文献１】特開２００２−３１８４５号公報
【特許文献２】特開２０００−３５６１２号公報
【発明の開示】
【発明が解決しようとする課題】
【０００４】
集光レンズを用いて投写レンズの入射瞳に集光させる構成では、集光レンズを設けるこ
とにより、色合成光学素子への入射角度（光軸に対して主光線がなす角度）を増大させる
こととなる。色合成光学素子に設けられるダイクロイック膜の波長選択特性は、光の入射
角度に依存するため、色合成光学素子への入射角度が変化するに従い、誘電体多層膜の選
択波長が所望の波長からシフトすることとなる。ダイクロイック膜における選択波長が部
分的に変化する場合、画像の色むらを生じさせ、画像の品質を低下させるという問題を生
じる。このような選択波長のシフトを補正するための補正手段が色合成光学素子に必要と
なると、色合成光学素子の製造コストが増大することになる。また、投写レンズを構成す
るレンズ同士の間に色合成光学素子を配置する構成では、色合成光学素子への入射角度の
増大を抑制できる一方、空間光変調素子と色合成光学素子との間に配置するレンズが色光
ごとに必要となる。このため、プロジェクタに必要となるレンズの枚数を増加させ、プロ
ジェクタの構成が大型かつ複雑になるという問題を生じる。本発明は、上述の問題に鑑み
てなされたものであり、小型かつ簡易な構成により高品質な画像を表示可能とするプロジ
ェクタを提供することを目的とする。
【課題を解決するための手段】
【０００５】
上述した課題を解決し、目的を達成するために、本発明に係るプロジェクタは、光を画
像信号に応じて変調する複数の空間光変調素子と、複数の空間光変調素子で変調された光
を合成する色合成光学素子と、空間光変調素子で変調された光が入射する位置に設けられ
、光を集光させる集光作用をもつ集光手段と、色合成光学素子で合成させる光が入射する
位置に設けられ、光を発散させる発散作用をもつ発散手段と、を有し、空間光変調素子の
うち変調された光を射出する射出面に形成され、集光手段として機能する凸面部と、色合
成光学素子のうち合成させる光が入射する入射面に形成され、発散手段として機能する凹
面部と、の少なくとも一方を有することを特徴とする。
【０００６】
集光手段により光を集光させることにより、投写レンズの小型化を可能とする。また、
集光手段により集光させた光を発散手段へ入射させることにより、光軸に対して主光線が
なす角度が小さくなるように光の進行方向を変換させ、色合成光学素子のダイクロイック
膜における選択波長のシフトを低減させる。ダイクロイック膜における選択波長の変化を
低減させることにより、補正手段を用いなくても、色むらが少ない画像を表示することが
可能とする。さらに、集光手段として機能する凸面部、及び発散手段として機能する凹面
部の少なくとも一方を有する構成とすることで、別途集光レンズ及び発散レンズを設ける
構成とするよりもプロジェクタの部品点数を少なくでき、プロジェクタを小型かつ簡易な
構成にできる。これにより、小型かつ簡易な構成により高品質な画像を表示可能とするプ
ロジェクタを得られる。
【０００７】
また、本発明の好ましい態様としては、空間光変調装置に形成された凸面部と、色合成
光学素子に形成された凹面部とを有することが望ましい。これにより、集光レンズ、発散
レンズのいずれも不要にでき、プロジェクタをさらに小型かつ簡易な構成にできる。
【０００８】
また、本発明の好ましい態様としては、発散手段は、集光手段から入射した光を平行化
させることが望ましい。これにより、色合成光学素子のダイクロイック膜における選択波
長のシフトをさらに低減させ、さらに高品質な画像を表示することができる。
【０００９】
また、本発明の好ましい態様としては、集光手段の後側焦点と、発散手段の前側焦点と
が略一致することが望ましい。これにより、集光手段へ入射した平行光を集光手段で集光
させた後、発散手段により平行化させることができる。
【００１０】
また、本発明の好ましい態様としては、空間光変調素子は、透過型液晶パネルであって
、凸面部は、透過型液晶パネルのうち変調された光を射出する側に設けられた射出側基板
に形成されることが望ましい。これにより、透過型液晶パネルで変調された光を集光させ
ることができる。
【００１１】
また、本発明の好ましい態様としては、第１色光を変調する空間光変調素子である第１
空間光変調素子と、第２色光を変調する空間光変調素子である第２空間光変調素子と、第
３色光を変調する空間光変調素子である第３空間光変調素子と、を有し、色合成光学素子
は、第１空間光変調装置で変調された第１色光が入射する入射面に形成された凹面部であ
る第１凹面部と、第２空間光変調装置で変調された第２色光が入射する入射面に形成され
た凹面部である第２凹面部と、第３空間光変調装置で変調された第３色光が入射する入射
面に形成された凹面部である第３凹面部と、を有することが望ましい。これにより、第１
色光、第２色光及び第３色光の各色光について色むらが少なく、高品質な画像を表示する
ことが可能となる。
【発明を実施するための最良の形態】
【００１２】
以下に図面を参照して、本発明の実施例を詳細に説明する。
【実施例１】
【００１３】
図１は、本発明の実施例１に係るプロジェクタ１０の概略構成を示す。プロジェクタ１
０は、スクリーン２９へ光を投写し、スクリーン２９で反射する光を観察することで画像
を鑑賞するフロント投写型のプロジェクタである。光源部１１は、例えば超高圧水銀ラン
プである。光源部１１は、赤色（Ｒ）光、緑色（Ｇ）光、青色（Ｂ）光を含む光を射出す
る。
【００１４】
第１インテグレータレンズ１２及び第２インテグレータレンズ１３は、アレイ状に配列
された複数のレンズ素子を有する。第１インテグレータレンズ１２は、光源部１１からの
光束を複数に分割する。第１インテグレータレンズ１２の各レンズ素子は、光源部１１か
らの光束を第２インテグレータレンズ１３のレンズ素子近傍にて集光させる。第２インテ
グレータレンズ１３のレンズ素子は、第１インテグレータレンズ１２のレンズ素子の像を
空間光変調素子上に形成する。
【００１５】
偏光変換素子１４は、２つのインテグレータレンズ１２、１３を経た光を特定の直線偏
光に変換する。重畳レンズ１５は、第１インテグレータレンズ１２の各レンズ素子の像を
空間光変調素子上で重畳させる。第１インテグレータレンズ１２、第２インテグレータレ
ンズ１３及び重畳レンズ１５は、光源部１１からの光の強度分布を空間光変調素子上にて
均一化させる。光源部１１、第１インテグレータレンズ１２、第２インテグレータレンズ
１３、偏光変換素子１４、及び重畳レンズ１５は、照明光学系を構成する。
【００１６】
反射ミラー１６は、反射により、重畳レンズ１５からの光の光路を折り曲げる。第１ダ
イクロイックミラー１７は、反射ミラー１６からの光のうちＲ光を透過させ、Ｇ光及びＢ
光を反射する。反射ミラー１８は、反射により、第１ダイクロイックミラー１７からのＲ
光の光路を折り曲げる。Ｒ光用フィールドレンズ１９Ｒは、反射ミラー１８からのＲ光を
平行化し、Ｒ光用透過型液晶パネル２０Ｒへ入射させる。
【００１７】
Ｒ光用透過型液晶パネル２０Ｒは、第１色光であるＲ光を画像信号に応じて変調する第
１色光用空間光変調素子として機能する。Ｒ光用集光レンズ２１Ｒは、Ｒ光についての集
光手段として機能する凸レンズである。凸レンズは、光を集光させる集光作用をもつ。Ｒ
光用集光レンズ２１Ｒは、Ｒ光用透過型液晶パネル２０Ｒで変調された光が入射する位置
であって、Ｒ光用透過型液晶パネル２０Ｒ及びクロスダイクロイックプリズム２７の間の
光路中に設けられている。
【００１８】
第２ダイクロイックミラー２２は、第１ダイクロイックミラー１７からのＧ光を反射し
、Ｂ光を透過させる。Ｇ光用フィールドレンズ１９Ｇは、第２ダイクロイックミラー２２
からのＧ光を平行化し、Ｇ光用透過型液晶パネル２０Ｇへ入射させる。Ｇ光用透過型液晶
パネル２０Ｇは、第２色光であるＧ光を画像信号に応じて変調する第２色光用空間光変調
素子として機能する。Ｇ光用集光レンズ２１Ｇは、Ｇ光についての集光手段として機能す
る凸レンズである。Ｇ光用集光レンズ２１Ｇは、Ｇ光用透過型液晶パネル２０Ｇで変調さ
れた光が入射する位置であって、Ｇ光用透過型液晶パネル２０Ｇ及びクロスダイクロイッ
クプリズム２７の間の光路中に設けられている。
【００１９】
リレーレンズ２３、２５は、第２ダイクロイックミラー２２及び反射ミラー２４の間の
光路中、反射ミラー２４及び反射ミラー２６の間の光路中にそれぞれ設けられている。Ｂ
光の光路がＲ光の光路及びＧ光の光路よりも長いことから、空間光変調素子における照明
倍率を他の色光と等しくするために、Ｂ光の光路には、リレーレンズ２３、２５を用いる
リレー光学系が採用されている。反射ミラー２４、２６は、反射によりＢ光の光路を折り
曲げる。
【００２０】
Ｂ光用フィールドレンズ１９Ｂは、反射ミラー２６からのＢ光を平行化し、Ｂ光用透過
型液晶パネル２０Ｂへ入射させる。Ｂ光用透過型液晶パネル２０Ｂは、第３色光であるＢ
光を画像信号に応じて変調する第３色光用空間光変調素子として機能する。Ｂ光用集光レ
ンズ２１Ｂは、Ｂ光についての集光手段として機能する凸レンズである。Ｂ光用集光レン
ズ２１Ｂは、Ｂ光用透過型液晶パネル２０Ｂで変調された光が入射する位置であって、Ｂ
光用透過型液晶パネル２０Ｂ及びクロスダイクロイックプリズム２７の間の光路中に設け
られている。
【００２１】
透過型液晶パネル２０Ｒ、２０Ｇ、２０Ｂは、透明部材からなる２つの基板の間に、光
を画像信号に応じて変調するための液晶層を封入している。透過型液晶パネル２０Ｒ、２
０Ｇ、２０Ｂとしては、例えば、高温ポリシリコンＴＦＴ液晶パネル（High  Temperatur
e  Polysilicon；ＨＴＰＳ）を用いる。なお、透過型液晶パネル２０Ｒ、２０Ｇ、２０Ｂ
の入射側及び射出側には、特定の直線偏光を透過させる不図示の偏光フィルタが設けられ
ている。クロスダイクロイックプリズム２７は、Ｒ光用透過型液晶パネル２０Ｒで変調さ
れたＲ光、Ｇ光用透過型液晶パネル２０Ｇで変調されたＧ光、Ｂ光用透過型液晶パネル２
０Ｂで変調されたＢ光を合成する色合成光学素子として機能する。投写レンズ２８は、ク
ロスダイクロイックプリズム２７で合成された光をスクリーン２９の方向へ投写する。
【００２２】
図２は、クロスダイクロイックプリズム２７の斜視構成を示す。クロスダイクロイック
プリズム２７は、透明部材からなる４つのプリズムを貼り合わせて構成されている。第１
ダイクロイック膜３１及び第２ダイクロイック膜３２は、プリズム同士の間に設けられて
いる。第１ダイクロイック膜３１及び第２ダイクロイック膜３２は、互いに略直交するよ
うに配置されている。第１ダイクロイック膜３１は、Ｒ光を反射し、Ｇ光及びＢ光を透過
させる。第２ダイクロイック膜３２は、Ｂ光を反射し、Ｒ光及びＧ光を透過させる。第１
ダイクロイック膜３１及び第２ダイクロイック膜３２は、例えば誘電体多層膜である。
【００２３】
第１凹面部３３は、クロスダイクロイックプリズム２７のうち、Ｒ光用透過型液晶パネ
ル２０Ｒで変調されたＲ光が入射する入射面に形成されている。第１凹面部３３は、クロ
スダイクロイックプリズム２７で合成させるＲ光が入射する位置に設けられている。第１
凹面部３３は、二次元方向について曲率をなす凹形状の曲面であって、光を発散させる発
散作用をもつ。第１凹面部３３は、Ｒ光についての発散手段として機能する。
【００２４】
第２凹面部３４は、クロスダイクロイックプリズム２７のうち、Ｇ光用透過型液晶パネ
ル２０Ｇで変調されたＧ光が入射する入射面に形成されている。第２凹面部３４は、クロ
スダイクロイックプリズム２７で合成させるＧ光が入射する位置に設けられている。第２
凹面部３４は、第１凹面部３３と同様に、二次元方向について曲率をなす凹形状の曲面で
あって、光を発散させる発散作用をもつ。第２凹面部３４は、Ｇ光についての発散手段と
して機能する。
【００２５】
第３凹面部３５は、クロスダイクロイックプリズム２７のうち、Ｂ光用透過型液晶パネ
ル２０Ｂで変調されたＢ光が入射する入射面に形成されている。第３凹面部３５は、クロ
スダイクロイックプリズム２７で合成させるＢ光が入射する位置に設けられている。第３
凹面部３５は、第１凹面部３３、第２凹面部３４と同様に、二次元方向について曲率をな
す凹形状の曲面であって、光を発散させる発散作用をもつ。第３凹面部３５は、Ｂ光につ
いての発散手段として機能する。なお、第１凹面部３３、第２凹面部３４、第３凹面部３
５は、球面形状、非球面形状のいずれであっても良い。
【００２６】
クロスダイクロイックプリズム２７のうち各色光を射出させる射出面３６は、略平坦に
形成された平面である。凹面部３３、３４、３５は、例えば、プリズムの表面を研磨する
ことにより形成される。クロスダイクロイックプリズム２７は、凹面部３３、３４、３５
が形成された３つのプリズムと、射出面３６となる平面を有する１つのプリズムとを組み
合わせることにより形成される。
【００２７】
図３は、集光レンズ及び凹面部の作用について説明する概念図である。ここでは、Ｒ光
用集光レンズ２１Ｒ及び第１凹面部３３を示して説明する。Ｒ光用集光レンズ２１Ｒの後
側焦点と、第１凹面部３３の前側焦点とは、略一致している。主光線が光軸ＡＸに略平行
な光である平行光は、Ｒ光用集光レンズ２１Ｒを透過することにより焦点に向けて集光さ
れた後、第１凹面部３３を透過することにより再び平行化される。Ｇ光用集光レンズ２１
Ｇ及び第２凹面部３４、Ｂ光用集光レンズ２１Ｂ及び第３凹面部３５は、Ｒ光用集光レン
ズ２１Ｒ及び第１凹面部３３と同様に構成されている。
【００２８】
集光レンズ２１Ｒ、２１Ｇ、２１Ｂにより光を集光させることにより、投写レンズ２８
の小型化を可能とする。集光レンズ２１Ｒ、２１Ｇ、２１Ｂにより集光させた光を凹面部
３３、３４、３５で再び平行光とすることにより、ダイクロイック膜３１、３２における
選択波長のシフトを低減させる。ダイクロイック膜３１、３２における選択波長の変化を
低減させることにより、補正手段を用いなくても、色むらが少ない画像を表示することが
可能となる。
【００２９】
クロスダイクロイックプリズム２７に凹面部３３、３４、３５を形成することにより、
別途発散レンズを設ける構成とするよりもプロジェクタ１０の部品点数を少なくでき、プ
ロジェクタ１０を簡易な構成とし、かつ小型にできる。これにより、小型かつ簡易な構成
により高品質な画像を表示できるという効果を奏する。
【００３０】
集光レンズ２１Ｒ、２１Ｇ、２１Ｂの後側焦点、及び凹面部３３、３４、３５の前側焦
点は、一致する場合に限られない。集光レンズ２１Ｒ、２１Ｇ、２１Ｂの後側焦点、及び
凹面部３３、３４、３５の前側焦点が一致しない場合であっても、光軸ＡＸに対して主光
線がなす角度が小さくなるように凹面部３３、３４、３５で光の進行方向を変換可能であ
れば、ダイクロイック膜３１、３２における選択波長のシフトを低減させる効果を得るこ
とが可能である。
【００３１】
本実施例に係るプロジェクタ１０は、空間光変調素子として透過型液晶パネルを用いる
場合に限られない。空間光変調素子としては、反射型液晶表示装置（Liquid  Crystal  O
n  Silicon；ＬＣＯＳ）、ＤＭＤ（Digital  Micromirror  Device）、ＧＬＶ（Grating
Light  Valve）等を用いても良い。
【実施例２】
【００３２】
図４は、本発明の実施例２に係るプロジェクタ４０の概略構成を示す。本実施例に係る
プロジェクタ４０は、クロスダイクロイックプリズム２７に形成された凹面部３３、３４
、３５（図２参照）と、各透過型液晶パネル４１Ｒ、４１Ｇ、４１Ｂに設けられた凸面部
４２とを有することを特徴とする。上記実施例１と同一の部分には同一の符号を付し、重
複する説明を省略する。
【００３３】
凸面部４２は、Ｒ光用透過型液晶パネル４１Ｒのうち変調されたＲ光を射出する射出面
、Ｇ光用透過型液晶パネル４１Ｇのうち変調されたＧ光を射出する射出面、Ｂ光用透過型
液晶パネル４１Ｂのうち変調されたＢ光を射出する射出面に形成されている。凸面部４２
は、二次元方向について曲率をなす凸形状の曲面であって、光を集光させる集光作用をも
つ。凸面部４２は、集光手段として機能する。
【００３４】
図５は、Ｒ光用透過型液晶パネル４１Ｒの断面構成を模式的に表したものである。Ｒ光
用透過型液晶パネル４１Ｒは、透明部材からなる入射側基板５１及び射出側基板５８を有
する。入射側基板５１は、Ｒ光用透過型液晶パネル４１Ｒのうち、変調させるＲ光が入射
する側に設けられている。射出側基板５８は、Ｒ光用透過型液晶パネル４１Ｒのうち、変
調されたＲ光を射出する側に設けられている。液晶層５５は、入射側基板５１及び射出側
基板５８により封止されている。入射側基板５１及び液晶層５５の間には、透明電極５２
及び配向膜５３が設けられている。射出側基板５８及び液晶層５５の間には、透明電極５
７及び配向膜５６が設けられている。スペーサ５４は、入射側基板５１及び射出側基板５
８の間に、液晶層５５を設けるための均一なスペースを確保する。
【００３５】
凸面部４２は、射出側基板５８のうち、液晶層５５で変調されたＲ光を射出する側の表
面に形成されている。凸面部４２は、Ｒ光用透過型液晶パネル４１Ｒのうち、液晶層５５
で変調されたＲ光が入射する位置に設けられている。Ｇ光用透過型液晶パネル４１Ｇ及び
Ｂ光用透過型液晶パネル４１Ｂは、Ｒ光用透過型液晶パネル４１Ｒと同様に構成されてい
る。なお、凸面部４２は、球面形状、非球面形状のいずれであっても良い。
【００３６】
凸面部４２は、例えば、板状部材の表面を研磨することにより形成される。透過型液晶
パネル４１Ｒ、４１Ｇ、４１Ｂは、予め凸面部４２を形成した射出側基板５８を他の構成
要素と組み合わせることにより形成される。プロジェクタ４０は、クロスダイクロイック
プリズム２７に形成された凹面部３３、３４、３５と、透過型液晶パネル４１Ｒ、４１Ｇ
、４１Ｂに形成された凸面部４２とを有する構成とすることで、集光レンズ、発散レンズ
のいずれも不要にでき、小型かつ簡易な構成にできる。
【００３７】
本実施例に係るプロジェクタ４０は、クロスダイクロイックプリズム２７に形成される
凹面部３３、３４、３５に代えて、別途発散レンズを設けることとしても良い。発散レン
ズは、例えば凹レンズである。凹レンズは、光を発散させる発散作用をもつ発散手段とし
て機能する。本発明に係るプロジェクタ１０、４０は、空間光変調素子に形成された凸面
部と、色合成光学素子に形成された凹面部との少なくとも一方を有する構成であれば良い
。
【００３８】
本発明に係るプロジェクタ１０、４０は、色光ごとに空間光変調素子を備える構成に限
られない。プロジェクタ１０、４０は、一つの空間光変調素子により二つ又は三つ以上の
色光を変調する構成としても良い。プロジェクタ１０、４０は、光源部１１として超高圧
水銀ランプを用いる場合に限られず、超高圧水銀ランプ以外のランプや、発光ダイオード
（ＬＥＤ）、スーパールミネッセンスダイオード（ＳＬＤ）等の固体光源、レーザ光源等
を用いる構成としても良い。プロジェクタ１０、４０は、スクリーンの一方の面に光を供
給し、スクリーンの他方の面から射出する光を観察することで画像を鑑賞する、いわゆる
リアプロジェクタであっても良い。
【図面の簡単な説明】
【００３９】
【図１】本発明の実施例１に係るプロジェクタの概略構成を示す図。
【図２】クロスダイクロイックプリズムの斜視構成を示す図。
【図３】集光レンズ及び凹面部の作用について説明する概念図。
【図４】本発明の実施例２に係るプロジェクタの概略構成を示す図。
【図５】Ｒ光用透過型液晶パネルの断面構成を模式的に表した図。
【符号の説明】
【００４０】
１０  プロジェクタ、１１  光源部、１２  第１インテグレータレンズ、１３  第２イ
ンテグレータレンズ、１４  偏光変換素子、１５  重畳レンズ、１６、１８  反射ミラー
、１７  第１ダイクロイックミラー、１９Ｒ  Ｒ光用フィールドレンズ、１９Ｇ  Ｇ光用
フィールドレンズ、１９Ｂ  Ｂ光用フィールドレンズ、２０Ｒ  Ｒ光用透過型液晶パネル
、２０Ｇ  Ｇ光用透過型液晶パネル、２０Ｂ  Ｂ光用透過型液晶パネル、２１Ｒ  Ｒ光用
集光レンズ、２１Ｇ  Ｇ光用集光レンズ、２１Ｂ  Ｂ光用集光レンズ、２２  第２ダイク
ロイックミラー、２３、２５  リレーレンズ、２４、２６  反射ミラー、２７  クロスダ
イクロイックプリズム、２８  投写レンズ、２９  スクリーン、３１  第１ダイクロイッ
ク膜、３２  第２ダイクロイック膜、３３  第１凹面部、３４  第２凹面部、３５  第３
凹面部、３６  射出面、ＡＸ  光軸、４０  プロジェクタ、４１Ｒ  Ｒ光用透過型液晶パ
ネル、４１Ｇ  Ｇ光用透過型液晶パネル、４１Ｂ  Ｂ光用透過型液晶パネル、４２  凸面
部、５１  入射側基板、５２、５７  透明電極、５３、５６  配向膜、５４  スペーサ、
５５  液晶層、５８  射出側基板
【図１】
2010085559.tif 000003
【図２】
2010085559.tif 000004
【図３】
2010085559.tif 000005
【図４】
2010085559.tif 000006
【図５】
2010085559.tif 000007